(57)【要約】【課題】  露出補正の際に、撮影しようとする画像中のどの部分に注目し、どの程度の補正を行ったら良いのかといったことをユーザが容易に判断でき、適正な露出補正をより簡単に行えるようにすること。【解決手段】  撮影待機状態において、デジタルカメラ１のモニタ６には、ファインダー画像ＦＰのうち、最高輝度を有する画素を中心とした（最も明るい部分を示す）マーカＭ１ａと、中間輝度を有する画素を中心とした（中間の明るさを示す）マーカＭ１ｂと、最低輝度を有する画素を中心とした（最も暗い部分を示す）マーカＭ１ｃとが表示される（ａ）。そして、ユーザが露出補正を行い、適正露出になると、円形状であったマーカＭ１ａ〜Ｍ１ｃが、正方形状のマーカＭ２ａ〜Ｍ２ｃに変更される（ｂ）。【選択図】図９
2005109740.tif 000002
【特許請求の範囲】
【請求項１】
電子的に撮影する撮影手段による被写体の撮影画像を表示部に表示させる画像撮影処理装置において、
前記表示部に表示されている撮影画像のうち、予め定められている輝度条件を満たす画素を含む部分に所定の識別部を表示する制御を行う画像表示制御手段と、
を備えることを特徴とする画像撮影処理装置。
【請求項２】
前記予め定められている輝度条件は、最高輝度、中間輝度及び最低輝度の特別輝度の条件であり、
前記画像表示制御手段は、前記最高輝度、中間輝度及び最低輝度の特別輝度を有する画素を含む部分に前記識別部を表示する制御を行う特別輝度部分特別表示制御手段を有することを特徴とする請求項１に記載の画像撮影処理装置。
【請求項３】
前記撮影手段による撮影画像の露出を補正する露出補正手段と、
この露出補正手段による露出補正が所定の適正露出条件を満たすか否かを判定する露出判定手段と、
を更に備え、
前記画像表示制御手段は、前記露出判定手段により満たすと判定された場合に、前記所定の識別部を変更する識別部変更手段を有することを特徴とする請求項１に記載の画像撮影処理装置。
【請求項４】
前記撮影画像の輝度ヒストグラムを算出して表示する制御を行うヒストグラム表示制御手段と、
このヒストグラム表示制御手段により表示制御された輝度ヒストグラム中の輝度を指定する輝度指定手段と、
を更に備え、
前記画像表示制御手段は、前記輝度指定手段により指定された輝度を有する画素を含む部分に前記所定の識別部を表示する制御を行う指定輝度部分特別表示制御手段を有することを特徴とする請求項１に記載の画像撮影処理装置。
【請求項５】
電子的に撮影する撮影手段による被写体の撮影画像を表示部に表示させる画像撮影処理装置において、
前記表示部に表示されている撮影画像中の一部分を範囲指定する範囲指定手段と、
この範囲指定手段により範囲指定された部分画像の輝度ヒストグラムを算出して表示する制御を行う部分ヒストグラム表示制御手段と、
を備えることを特徴とする画像撮影処理装置。
【請求項６】
前記撮影画像中の画素を指定する画素指定手段と、
前記輝度ヒストグラム中の、前記画素指定手段により指定された画素の輝度を含む部分に所定の識別子を表示する制御を行う識別子表示制御手段と、
を更に備えることを特徴とする請求項４又は５に記載の画像撮影処理装置。
【請求項７】
前記輝度ヒストグラム中の前記識別子の表示位置を変更する識別子位置変更手段と、
この識別子位置変更手段による変更に応じて、前記画素指定手段により指定された画素の輝度を変更する指定画素輝度変更手段と、
を更に備えることを特徴とする請求項６に記載の画像撮影処理装置。
【請求項８】
前記特別輝度部分特別表示制御手段は、前記予め定められている輝度条件を満たす画素の数に応じて前記所定の識別部の大きさを変更して表示制御する手段であることを特徴とする請求項１に記載の画像撮影処理装置。
【請求項９】
前記予め定められている輝度条件を満たす画素の数に応じた数値を表示する制御を行う特別輝度画素数表示制御手段を更に備えることを特徴とする請求項１に記載の画像撮影処理装置。
【請求項１０】
電子的に撮影する撮影手段による被写体の撮影画像を表示部に表示させるコンピュータに、
前記表示部に表示されている撮影画像のうち、予め定められている輝度条件を満たす画素を含む部分に所定の識別部を表示する制御を行う画像表示制御機能と、
を実現させるためのプログラム。
【請求項１１】
電子的に撮影する撮影手段による被写体の撮影画像を表示部に表示させるコンピュータに、
前記表示部に表示されている撮影画像中の一部分を範囲指定する範囲指定機能と、
この範囲指定機能により範囲指定された部分画像の輝度ヒストグラムを算出して表示する制御を行う部分ヒストグラム表示制御機能と、
を実現させるためのプログラム。
【発明の詳細な説明】
【技術分野】
【０００１】
本発明は、画像撮影処理装置及びプログラムに関する。
【背景技術】
【０００２】
近年、被写体を電子的に撮影するデジタルカメラと呼ばれる画像撮影処理装置が知られている。このデジタルカメラは、レンズを通してＣＣＤ（Charge Coupled Device）等の撮像素子で取り込んだデジタル画像を電子的に記録保存するが、撮影直前の画像、いわゆるファインダー画像を表示部で確認しつつ撮影できるといった特徴がある。このため、ファインダー画像を視認しながら種々の撮影条件を設定することで、被写体を好みの表現手法で撮影できる。
【０００３】
この種のデジタルカメラ又は電子カメラは公知である（例えば、特許文献１及び２参照）。
【特許文献１】特開昭５９−１８３５７９号公報
【特許文献２】特開昭５７−７８２８０号公報
【発明の開示】
【発明が解決しようとする課題】
【０００４】
ところで、撮影条件設定の１つとして、撮影しようとする画像の明るさを調整する露出補正機能がある。この露出補正では、例えばモニタ表示されたファインダー画像を見ながら望む明るさとなるように露出値を補正（プラス「＋」或いはマイナス「−」）すると、これに合わせて画像全体の明るさが調整される。しかしながら、露出補正の操作に不慣れなユーザにとっては、画面中のどの部分に注目して露出補正を行えば良いのか、どの程度の補正を行えば良いのかといったことの判断が容易でなかった。
【０００５】
本発明は、こうした事情を鑑みてなされたのであり、その目的とするところは、露出補正の際に、撮影しようとする画像中のどの部分に注目し、どの程度の補正を行ったら良いのかといったことをユーザが容易に判断でき、適正な露出補正をより簡単に行えるようにすることである。
【課題を解決するための手段】
【０００６】
上記課題を解決するために、請求項１に記載の発明は、
電子的に撮影する撮影手段（例えば、図２のＣＣＤ７０及びＣＣＤ制御回路７２等；図５のステップＡ１４）による被写体の撮影画像を表示部（例えば、図１のディスプレイ６）に表示させる画像撮影処理装置において、
前記表示部に表示されている撮影画像のうち、予め定められている輝度条件を満たす画素を含む部分に所定の識別部（例えば、図６のマーカＭ１ａ〜Ｍ１ｃ）を表示する制御を行う画像表示制御手段（例えば、図２のＣＰＵ１０；図５のステップＡ１９）と、
を備えることを特徴とする画像撮影処理装置である。
【０００７】
また、請求項１０に記載の発明は、
電子的に撮影する撮影手段（例えば、図２のＣＣＤ７０やＣＣＤ制御回路７２等）による被写体の撮影画像を表示部（例えば、図１のディスプレイ６）に表示させるコンピュータに、
前記表示部に表示されている撮影画像のうち、予め定められている輝度条件を満たす画素を含む部分に所定の識別部を表示する制御を行う画像表示制御機能（例えば、図５のステップＡ１９）と、
を実現させるためのプログラムである。
【０００８】
この請求項１又は１０に記載の発明によれば、表示部に表示されている撮影画像のうち、予め定められている輝度条件を満たす画素を含む部分に所定の識別部を表示制御することができる。従って、ユーザは、撮影画像中のどの部分に注目すれば良いのかを容易に判断でき、この部分に注目して適正な露出補正を簡単に行うことができる。
【０００９】
また、請求項２に記載の発明のように、請求項１に記載の画像撮影処理装置であって、
前記予め定められている輝度条件は、最高輝度、中間輝度及び最低輝度の特別輝度の条件であり、
前記画像表示制御手段は、前記最高輝度、中間輝度及び最低輝度の特別輝度を有する画素を含む部分に前記識別部を表示する制御を行う特別輝度部分特別表示制御手段（例えば、図２のＣＰＵ１０；図５のステップ１９）を有することを特徴とする画像撮影処理装置を構成しても良い。
【００１０】
この請求項２に記載の発明によれば、請求項１に記載の発明と同様の効果を奏するとともに、表示部に表示されている撮影画像のうち、最高輝度、中間輝度及び最低輝度の特別輝度を有する画素を含む部分に所定の識別部を表示制御することができる。従って、ユーザは、撮影画像のうち、特に最も明るい部分（最高輝度）、最も暗い部分（最低輝度）、そして中間の明るさの部分（中間輝度）を容易に知ることができる。
【００１１】
また、請求項３に記載の発明のように、請求項１に記載の画像撮影処理装置であって、
前記撮影手段による撮影画像の露出を補正する露出補正手段（例えば、図２のＣＰＵ１０；図８のステップＢ２１〜Ｂ２２）と、
この露出補正手段による露出補正が所定の適正露出条件を満たすか否かを判定する露出判定手段（例えば、図２のＣＰＵ１０；図８のステップＢ２３）と、
を更に備え、
前記画像表示制御手段は、前記露出判定手段により満たすと判定された場合に、前記所定の識別部を変更する識別部変更手段（例えば、図２のＣＰＵ１０；図８のステップＢ２４）を有することを特徴とする画像撮影処理装置を構成しても良い。
【００１２】
この請求項３に記載の発明によれば、請求項１に記載の発明と同様の効果を奏するとともに、為された露出補正が適正露出条件を満たしているか否かを判定し、満たしている場合には、表示制御した識別部を変更することができる。従って、ユーザは、識別部の変更を見ることで、適正な露出補正を行えたか否かを容易に判断することができる。
【００１３】
また、請求項４に記載の発明のように、請求項１に記載の画像撮影処理装置であって、
前記撮影の輝度ヒストグラムを算出して表示する制御を行うヒストグラム表示制御手段（例えば、図２のＣＰＵ１０；図１２のステップＣ１６〜Ｃ１７）と、
このヒストグラム表示制御手段により表示制御された輝度ヒストグラム中の輝度を指定する輝度指定手段（例えば、図２の入力部６０；図１２のステップＣ１８）と、
を更に備え、
前記画像表示制御手段は、前記輝度指定手段により指定された輝度を有する画素を含む部分に前記識別部を表示する制御を行う指定輝度部分特別表示制御手段（例えば、図２のＣＰＵ１０；図１２のステップＣ２１）を有することを特徴とする画像撮影処理装置を構成しても良い。
【００１４】
この請求項４に記載の発明によれば、請求項１に記載の発明と同様の効果を奏するとともに、表示制御したファインダー画像の輝度ヒストグラム中の輝度が指定されると、ファインダー画像中の、この指定された輝度を含む画素を有する部分に所定のマーカを付すことができる。
【００１５】
また、請求項５に記載の発明は、
電子的に撮影する撮影手段（例えば、図２のＣＣＤ７０やＣＣＤ制御回路７２等）による被写体の撮影画像を表示部（例えば、図１のディスプレイ６）に表示させる画像撮影処理装置において、
前記表示部に表示されている撮影画像中の一部分を範囲指定する範囲指定手段（例えば、図２の入力部６０；図１５のステップＤ１７）と、
この範囲指定手段により範囲指定された部分画像の輝度ヒストグラムを算出して表示する制御を行う部分ヒストグラム表示制御手段（例えば、図２のＣＰＵ１０；図１５のステップＤ１８〜Ｄ１９）と、
を備えることを特徴とする画像撮影処理装置である。
【００１６】
また、請求項１１に記載の発明は、
電子的に撮影する撮影手段（例えば、図２のＣＣＤ７０やＣＣＤ制御回路７２等）による被写体の撮影画像を表示部（例えば、図１のディスプレイ６）に表示させるコンピュータに、
前記表示部に表示されている撮影画像中の一部分を範囲指定する範囲指定機能（例えば、図１５のステップＤ１７）と、
この範囲指定機能により範囲指定された部分画像の輝度ヒストグラムを算出して表示する制御を行う部分ヒストグラム表示制御機能（例えば、図１５のステップＤ１８〜Ｄ１９）と、
を実現させるためのプログラムである。
【００１７】
この請求項５又は１１に記載の発明によれば、
表示部に表示されている撮影画像のうち、範囲指定された部分画像の輝度ヒストグラムを算出して表示制御することができる。
【００１８】
また、請求項６に記載の発明のように、請求項４又は５に記載の画像撮影処理装置であって、
前記撮影画像中の画素を指定する画素指定手段（例えば、図２の入力部６０；図１９のステップＥ１８）と、
前記輝度ヒストグラム中の、前記画素指定手段により指定された画素の輝度を含む部分に所定の識別子（例えば、図２０のポインタＰＴ）を表示する制御を行う識別子表示制御手段（例えば、図２のＣＰＵ１０；図１９のステップＥ２０）と、
を更に備えることを特徴とする撮影画素処理装置を構成しても良い。
【００１９】
この請求項６に記載の発明によれば、請求項４又は５に記載の発明と同様の効果を奏するとともに、撮影画像中の画素が指定されると、表示制御した輝度ヒストグラム上の、この指定された画素の輝度を含む部分に所定の識別子を表示制御することができる。
【００２０】
また、請求項７に記載の発明のように、請求項６に記載の画像撮影処理装置であって、
前記輝度ヒストグラム中の前記識別子の表示位置を変更する識別子位置変更手段（例えば、図２のＣＰＵ１０；図２３のステップＦ２１）と、
この識別子位置変更手段による変更に応じて、前記画素指定手段により指定された画素の輝度を変更する指定画素輝度変更手段（例えば、図２のＣＰＵ１０；図２３のステップＦ２３）と、
を更に備えることを特徴とする画像撮影処理装置を構成しても良い。
【００２１】
この請求項７に記載の発明によれば、請求項６に記載の発明と同様の効果を奏するとともに、輝度ヒストグラム上の識別子の表示位置が変更されると、この変更に応じて、指定された画素の輝度を変更することができる。
【００２２】
また、請求項８に記載の発明のように、請求項１に記載の画像撮影処理装置であって、
前記特別輝度部分特別表示制御手段は、前記予め定められている輝度条件を満たす画素の数に応じて前記所定の識別部の大きさを変更して表示制御する手段（例えば、図２８のステップＧ２１）であることを特徴とする画像撮影処理装置を構成しても良い。
【００２３】
この請求項８に記載の発明によれば、請求項１に記載の発明と同様の効果を奏するとともに、予め定められている輝度条件を満たす画素の数に応じて、識別部の大きさを変更して表示制御することができる。
【００２４】
また、請求項９に記載の発明のように、請求項１に記載の画像撮影処理装置であって、
前記予め定められている輝度条件を満たす画素の数に応じた数値を表示する制御を行う特別輝度画素数表示制御手段（例えば、図２のＣＰＵ１０；図３２のステップＨ２２）を更に備えることを特徴とする画像撮影処理装置を構成しても良い。
【００２５】
この請求項９に記載の発明によれば、請求項１に記載の発明と同様の効果を奏するとともに、予め定められている輝度条件を満たす画素の数に応じた数値を表示制御することができる。
【発明の効果】
【００２６】
本発明によれば、露出補正の際に、表示部に表示されている撮影画像中のどの部分に注目してどの程度の露出補正を行えばよいのかを容易に知ることができるので、適正な露出補正を簡単に行うことができる。
【発明を実施するための最良の形態】
【００２７】
以下、図面を参照して、本発明を実施するための最良の形態を説明する。尚、以下の説明では、本発明を画像撮影処理装置の一種であるデジタルカメラに適用した場合を説明するが、デジタル撮影の機能を有する携帯電話機や腕時計、ＰＤＡ、ノートパソコン等の他の電子機器にも同様に適用可能である。
【００２８】
［外観］
図１は、本発明を適用したデジタルカメラの一例を示す概観図である。同図（ａ）は正面斜視図であり、同図（ｂ）は、背面斜視図である。同図によれば、デジタルカメラ１は、電源スイッチ２と、シャッタースイッチ３と、正面側の対物ファインダー４ａと、背面側の接眼ファインダー４ｂと、撮影レンズ５と、モニタ６と、操作キー７と、を具備している。
【００２９】
電源スイッチ２は、デジタルカメラ１の電源を投入／遮断（ＯＮ／ＯＦＦ）するためのスイッチであり、電源スイッチ２を押下する毎に電源がＯＮ／ＯＦＦされる。
【００３０】
シャッタースイッチ３は、撮影を実行するためのスイッチである。また、シャッタースイッチ３は二段階の押下状態を検知可能であり、完全に押下されない状態（以下、「半押し状態」と称する。）と、完全に押下された状態と、を検知する。そして、半押し状態が検知されると、撮影の実行を待機する撮影待機状態に移行し、続いて完全に押下することで撮影が実行される。
【００３１】
対物ファインダー４ａは、接眼ファインダー４ｂとともにファインダーを構成する。ファインダーは、ユーザが被写体を確認するために使用される。
【００３２】
撮影レンズ５は、ガラス等で構成されるレンズであり、単焦点レンズ且つ固定焦点であるとする。
【００３３】
モニタ６は、バックライト付きのカラーＬＣＤ（Liquid Crystal Display）で構成され、デジタルカメラ１の操作にかかる各種情報や画像等を表示する。例えば、撮影モード時には、電子ファインダーとして被写体の撮影画像（以下、「ファインダー画像」という。）のモニタ表示を行う。また、モニタ６には、タッチパネルが一体となって形成されており、入力ペン（スタイラス）８等で指示されたモニタ６上の位置が検知される。
【００３４】
操作キー７は、メニュー選択、撮影モードや再生モード等のモード切換指示、各種設定指示等を入力するためのキーであり、方向キー７ａやモードキー７ｂを含んでいる。
【００３５】
［内部構成］
図２は、デジタルカメラ１の内部構成を示すブロック図である。同図によれば、デジタルカメラ１は、ＣＰＵ１０と、ＲＯＭ２０と、ＤＲＡＭ３０と、フラッシュメモリ５０と、入力部６０と、ＣＣＤ７０と、ＣＣＤ制御回路７２と、液晶駆動回路８０と、表示バッファ８２と、ＬＣＤ８４と、を備えて構成される。
【００３６】
ＣＰＵ１０は、入力される指示に応じて所定のプログラムを実行し、デジタルカメラ１を構成する各部への指示やデータの転送等を行う。具体的には、ＣＰＵ１０は、入力部６０から入力される操作信号に応じてＲＯＭ２０に格納されているプログラムを読み出してＤＲＡＭ３０に展開し、該プログラムに従った処理を実行する。そして、処理結果をＤＲＡＭ３０に格納するとともに、該処理結果を表示するための表示信号を液晶駆動回路８０に出力して対応する表示画面を表示させる。
【００３７】
ＲＯＭ２０は、各種初期設定やハードウェアの検査、必要なプログラムのロードを行うための初期プログラムを記憶している。ＣＰＵ１０は、電源投入時においてこの初期プログラムを実行することによりデジタルカメラ１の動作環境を設定する。また、ＲＯＭ２０は、メニュー表示処理や各種設定処理、画像処理等、デジタルカメラ１の動作にかかる各種プログラムや、デジタルカメラ１が備える各種機能を実現するためのプログラム、データ等を記憶している。
【００３８】
ＤＲＡＭ３０は、ＣＰＵ１０の作業用メモリとして用いられる半導体メモリであり、撮影画像を一時的に記憶する画像バッファ領域や、ＪＰＥＧ圧縮／伸張時の作業用領域を備えている。シャッターが切られると、その時点で画像バッファに記憶されている画像データが１枚の静止画像としてモニタ６に表示されるとともに、撮影画像としてフラッシュメモリ５０に記録保存される。
【００３９】
フラッシュメモリ５０は、撮影画像を当該画像の画像情報等とともに保存記録する。尚、このフラッシュメモリ５０は、デジタルカメラ１に内蔵されるものであっても良いし、デジタルカメラ１に着脱自在な外部記憶媒体であっても良い。
【００４０】
入力部６０は、ユーザによる各種指示を入力するための入力装置であり、操作に応じた操作信号をＣＰＵ１０に出力する。この入力部６０を介して、例えば露出マーキング表示設定やヒストグラム表示設定がＯＮにされたり、露出補正の操作、表示画面上の位置や範囲の指定等がなされる。図１では、電源スイッチ２やシャッタースイッチ３、操作キー７、そしてモニタ６と一体となって形成されたタッチパネルがこれに該当する。
【００４１】
ＣＣＤ７０は、撮影レンズ５を透過した光を受光し、電気信号に変換する撮像素子である。ＣＣＤ７０で変換された電気信号は、ＣＣＤ制御回路７２でデジタル信号に変換され、ＣＰＵ１０に出力される。
【００４２】
液晶駆動回路８０は、ＣＰＵ１０から入力される表示信号を表示バッファ（ＶＲＡＭ）８２に一旦格納して表示画面データを構築し、その後、モニタ６を構成する表示素子であるＬＣＤ８４を駆動して、表示画面データに対応する表示画面を表示させる。
【００４３】
このように構成されるデジタルカメラ１における具体的な８つの実施形態を、以下、順に説明する。
【００４４】
［実施形態１］
先ず、実施形態１を説明する。実施形態１では、モニタ６に表示されたファインダー画像のうち、所定の輝度を有する画素の部分がマーキングされる。
【００４５】
＜ＲＯＭ及びＲＡＭの構成＞
図３は、実施形態１におけるＲＯＭ２０ａ及びＤＲＡＭ３０ａの構成を示す図である。
同図（ａ）によれば、ＲＯＭ２０ａには、実施形態１を実現するための特別輝度部分マーキングプログラム２１が記憶されている。
【００４６】
また、図３（ｂ）によれば、ＤＲＡＭ３０ａには、ファインダー画像を格納するファインダー画像格納領域３１と、ヒストグラムデータ格納領域３２と、特別輝度データ格納領域３３と、が形成されている。
【００４７】
ヒストグラムデータ格納領域３２には、ファインダー画像の輝度ヒストグラムのデータが格納される。輝度ヒストグラムとは、横軸に輝度、縦軸にピクセル数を取り、対象となる画像の明るさの分布を示したグラフのことである。
【００４８】
特別輝度データ格納領域３３には、ファインダー画像についての、予め定められた輝度条件を満たす特別輝度のデータである特別輝度データ３３ａが格納される。図４に、特別輝度データ３３ａのデータ構成の一例を示す。
図４は、特別輝度データ３３ａのデータ構成例を示す図である。同図によれば、特別輝度データ３３ａには、輝度条件（３３ａ−１）毎に、該輝度条件（３３ａ−１）を満たす輝度（３３ａ−２）と、輝度（３３ａ−２）を有するピクセルの位置（３３ａ−３）と、が対応付けられている。輝度条件（３３ａ−１）としては、最高輝度、中間輝度及び最低輝度が含まれている。尚ここで、中間輝度とは、全ピクセルに対する中央値（メジアン）の輝度のことである。
【００４９】
＜処理の流れ＞
図５は、実施形態１における処理の流れを説明するフローチャートである。同図において、左側はデジタルカメラ１の処理を示し、右側はユーザの操作を示している。また、図６は、実施形態１におけるモニタ６の表示画面の遷移例を示す図である。尚、この処理は、ＣＰＵ１０がＲＯＭ２０ａの特別輝度部分マーキングプログラム２１を実行することで実現される。
【００５０】
図５によれば、先ず、ユーザにより電源スイッチ２が操作されてデジタルカメラ１の電源が投入（ＯＮ）されると（ステップＡ１１）、ＣＰＵ１０は、デジタルカメラ１の動作環境等の初期設定を行う設定モードを開始する（ステップＡ１２）。
【００５１】
次いで、ユーザによりシャッタースイッチ３が半押し状態にされたことを検知すると（ステップＡ１３）、撮影待機状態に移行する（ステップＡ１４）。撮影待機状態では、図６（ａ）に示すように、モニタ６にファインダー画像ＦＰが表示される。
【００５２】
そして、ユーザにより露出マーキング表示の設定がＯＮされたことを検知すると（ステップＡ１５）、ＣＰＵ１０は、ファインダー画像の輝度ヒストグラムデータを作成する（ステップＡ１６）。次いで、作成した輝度ヒストグラムから、最高輝度、中間輝度及び最低輝度を検出する（ステップＡ１７）。
【００５３】
続いて、ＣＰＵ１０は、ファインダー画像から、これら検出した各輝度（最高輝度、中間輝度及び最低輝度）を有するピクセルの位置（ピクセル位置）を検出する（ステップＡ１８）。そして、検出した各ピクセル位置に、該ピクセル位置を中心とするマーカを表示させる（ステップＡ１９）。
【００５４】
図６（ｂ）は、この時点での表示画面例である。同図に示すように、露出マーキング設定をＯＮにすると、ファインダー画像ＦＰ上に３つの円形状のマーカＭ１ａ〜Ｍ１ｃ（識別部）が表示される。具体的には、図中右上のマーカは、最高輝度を有する画素の位置を中心としたマーカＭ１ａであり、ここが画像中の最も明るい部分であることを示している。また、図中右下のマーカは、中間輝度を有する画素の位置を中心としたマーカＭ１ｂであり、ここが画像中の中間の明るさ部分であることを示している。また、図中左下のマーカは、最低輝度を有する画素の位置を中心としたマーカＭ１ｃであり、ここが画像中の最も暗い部分であることを示している。尚、マーカＭ１ａ〜Ｍ１ｃは、同図では異なる線種で表示されているが、例えば表示色や線の太さが違う等、それぞれを識別可能な形態で表示されても良い。
【００５５】
最後に、ＣＰＵ１０は、マーキングされた部分の明るさの確認をユーザに促す確認メッセージを表示させ（ステップＡ２０）、本処理を終了する。
【００５６】
＜作用・効果＞
以上のように、実施形態１では、ファインダー画像ＦＰにおいて、特別輝度として最高輝度、中間輝度及び最低輝度を有する画素を含む部分にマーカＭ１ａ〜Ｍ１ｃが表示される。従って、ユーザは、ファインダー画像ＦＰ中、最も明るい部分、暗い部分そして中間の明るさの部分を知ることができるので、この部分を確認しながら適正な露出補正を容易に行うことができる。尚、上述した最高輝度、中間輝度及び最低輝度以外の輝度を有する画素についても、同様にマーカを付すこととしても良い。
【００５７】
［実施形態２］
次に、実施形態２を説明する。実施形態２では、実施形態１において、所定の適正露出条件を満たすように露出の補正を行うと、表示されているマーカＭ１ａ〜Ｍ１ｃが変更される。尚、実施形態２において、上述した実施形態１と同一要素については同符合を付し、詳細な説明を省略する。
【００５８】
＜ＲＯＭ及びＲＡＭの構成＞
図７は、実施形態２におけるＲＯＭ２０ｂ及びＤＲＡＭ３０ｂの構成を示す図である。
同図（ａ）によれば、ＲＯＭ２０ｂには、実施形態２を実現するためのマーカ変更プログラム２２が記憶されている。
【００５９】
また、図７（ｂ）によれば、ＤＲＡＭ３０ｂには、設定露出データ格納領域３４と、ファインダー画像格納領域３１と、ヒストグラムデータ格納領域３２と、特別輝度データ格納領域３３と、が形成されている。
【００６０】
設定露出データ格納領域３４には、現在設定されている露出値のデータが格納される。露出値は、「−２〜＋２」まで「０．５」刻みで設定される。また、この露出値は、デフォルト値として、自動露出（ＡＥ）機能により「０」が設定される。
【００６１】
＜処理の流れ＞
図８は、実施形態２における処理の流れを説明するフローチャートである。同図において、左側はデジタルカメラ１の処理を示し、右部はユーザの操作を示している。また、図９は、実施形態２におけるモニタ６の表示画面の遷移例を示す図である。尚、この処理は、ＣＰＵ１０がＲＯＭ２０ｂのマーカ変更プログラム２２を実行することで実現される。
【００６２】
図８によれば、先ず、ＣＰＵ１０は、実施形態１と同様に、ファインダー画像中の、最高輝度、中間輝度及び最低輝度の各特別輝度を有するピクセルの位置にマーカＭ１ａ〜Ｍ１ｃを表示させる（ステップＡ１１〜Ａ２０）。
【００６３】
図９（ａ）は、この時点での表示画面例である。同図によれば、モニタ６には、ファインダー画像ＦＰが表示され、該ファインダー画像ＦＰ上に３つのマーカＭ１ａ〜Ｍ１ｃが表示されている。具体的には、ファインダー画像ＦＰ中の最も明るい部分であることを示すマーカＭ１ａ、中間の明るさ部分であることを示すマーカＭ１ｂ、最も暗い部分であることをしめすマーカＭ１ｃが表示されている。
【００６４】
そして、ユーザによる露出の補正操作を検知すると（ステップＢ２１）、ＣＰＵ１０は、補正後の露出に合わせて画像（ファインダー画像）を更新し（ステップＢ２２）、補正後の露出が適正露出の範囲内であるか否かを判定する（ステップＢ２３）。ここで、適正露出範囲内であるか否かの具体的な判定は、例えば最高輝度と最低輝度との中間値の輝度を中心とする所定範囲に中間輝度が収まるか否かによって判定する。例えば図４では、最低輝度が「０」であり最大輝度が「２５５」であるので、その中間の値「１２８」を中心とする「１１８〜１３８」の範囲内であれば“適正露出の範囲内”であると判断し、これ以外の値であれば“適正露出の範囲内でない”と判断する。
【００６５】
判定の結果、適正露出範囲内であれば（ステップＢ２３：ＹＥＳ）、現在表示しているマーカＭ１ａ〜Ｍ１ｃの形状を変更し（ステップＢ２４）、一方、適正露出範囲内でなければ（ステップＢ２３：ＮＯ）、そのままとする。
【００６６】
図９（ｂ）は、この時点での表示画面例である。同図では、補正後の露出が適正露出範囲内である場合を示しており、円形状であったマーカＭ１ａ〜Ｍ１ｂが、正方形状のマーカＭ２ａ〜Ｍ２ｃに変更されている。
【００６７】
その後、ユーザによる露出補正が再度行われた場合（ステップＢ２５：ＹＥＳ）、ＣＰＵ１０は、ステップＢ２１に移行して同様の処理を再度行い、一方、露出補正が行われなければ（ステップＢ２５：ＮＯ）、本処理を終了する。
【００６８】
＜作用・効果＞
以上のように、実施形態２では、適正な露出となるように露出補正を行うと、現在表示されている円形状のマーカＭ１ａ〜Ｍ１ｃが、正方形状のマーカＭ２ａ〜Ｍ２ｃに変更される。従って、ユーザは、マーカをみることで、適正な露出補正を行えたか否かを容易に判断できる。
【００６９】
［実施形態３］
次に、実施形態３を説明する。実施形態３では、輝度ヒストグラムの一部を指定すると、指定した輝度に該当するファインダー画像中の部分がマーキングされる。尚、実施形態３において、上述した実施形態１、２と同一要素については同符合を付し、詳細な説明を省略する。
【００７０】
＜ＲＯＭ及びＲＡＭの構成＞
図１０は、実施形態３におけるＲＯＭ２０ｃ及びＤＲＡＭ３０ｃの構成を示す図である。
同図（ａ）によれば、ＲＯＭ２０ｃには、実施形態３を実現するための指定輝度部分マーキングプログラム２３が記憶されている。
【００７１】
また、図１０（ｂ）によれば、ＤＲＡＭ３０ｃには、ファインダー画像格納領域３１と、ヒストグラムデータ格納領域３２と、指定輝度データ格納領域３５と、が形成されている。
【００７２】
指定輝度データ格納領域３５には、ユーザにより指定された輝度ヒストグラム中の輝度のデータである指定輝度データ３５ａが格納される。図１１に、指定輝度データ３５ａのデータ構成の一例を示す。
【００７３】
図１１は、指定輝度データ３５ａのデータ構成例を示す図である。同図によれば、指定輝度データ３５ａは、ユーザにより指定された輝度ヒストグラム中の輝度（３５ａ−１）と、指定輝度（３５ａ−１）を有するピクセルの位置（３５ａ−２）と、を対応付けたデータである。
【００７４】
＜処理の流れ＞
図１２は、実施形態３における処理の流れを示す図である。同図において、左側はデジタルカメラ１の処理を示し、右側はユーザの操作を示している。また、図１３は、実施形態１におけるモニタ６の表示画面の遷移例を示す図である。尚、、この処理は、ＣＰＵ１０がＲＯＭ２０ｃの指定輝度部分マーキングプログラム２３を実行することで実現される。
【００７５】
図１２によれば、先ず、デジタルカメラ１の電源が投入（ＯＮ）されると（ステップＡ１１）、ＣＰＵ１０は、設定モードを開始してデジタルカメラ１の動作環境等の初期設定を行い（ステップＡ１２）、次いで、シャッタースイッチ３が半押し状態となったことを検知すると（ステップＡ１３）、撮影待機状態に移行する（ステップＡ１４）。
【００７６】
続いて、ユーザによりヒストグラム表示の設定がＯＮされたことを検知すると（ステップＣ１５）、ＣＰＵ１０は、ファインダー画像の輝度ヒストグラムデータを作成する（ステップＣ１６）。そして、作成した輝度ヒストグラムデータに基づく輝度ヒストグラムを表示させる（ステップＣ１７）。
【００７７】
図１３（ａ）は、この時点での表示画面例である。同図によれば、モニタ６には、ファインダー画像ＦＰとともに、該ファインダー画像ＦＰの輝度ヒストグラムＬＨ１が表示されている。そして、この表示画面において、ユーザは、同図（ｂ）に示すように、スタイラス８を用いて輝度ヒストグラムＬＨ１の位置を指定する。
【００７８】
ユーザによるヒストグラム上の位置が指定されると（ステップＣ１８）、ＣＰＵ１０は、指定位置を輝度ヒストグラム上の横軸位置に換算し、横軸位置に対応する輝度を指定輝度として算出する（ステップＣ１９）。次いで、ファインダー画像から、指定輝度を有するピクセルの位置を検出し（ステップＣ２０）、検出したピクセル位置にマーカを表示させる（ステップＣ２１）。
【００７９】
図１３（ｃ）は、この時点での表示画面である。同図によれば、表示画面には、ファインダー画像ＦＰとともに、該ファインダー画像ＦＰ中の指定輝度を有する各画素を中心とした合計４つのマーカＭ３が表示されている。
以上の処理を行うと、ＣＰＵ１０は、本処理を終了する。
【００８０】
＜作用・効果＞
以上のように、実施形態３では、輝度ヒストグラムＬＨ１上の位置を指定すると、指定した輝度を有する画素を含む部分にマーカＭ３が表示される。従って、ユーザは、輝度ヒストグラムＬＨ１中の輝度がファインダー画像ＦＰ上のどの部分に相当するのかを確認することができる。
【００８１】
［実施形態４］
次に、実施形態４を説明する。実施形態４では、モニタ表示されたファインダー画像の一部範囲を指定すると、指定した部分画像の輝度ヒストグラムが表示される。尚、実施形態４において、上述した実施形態１〜３と同一要素については同符合を付し、詳細な説明を省略する。
【００８２】
＜ＲＯＭ及びＲＡＭの構成＞
図１４は、実施形態４におけるＲＯＭ２０ｄ及びＤＲＡＭ３０ｄの構成を示す図である。
同図（ａ）によれば、ＲＯＭ２０ｄには、実施形態４を実現するための部分ヒストグラム表示プログラム２４が記憶されている。
【００８３】
また、図１４（ｂ）によれば、ＤＲＡＭ３０ｄには、ファインダー画像格納領域３１と、指定範囲データ格納領域３６と、部分ヒストグラムデータ格納領域３７と、が形成されている。
【００８４】
指定範囲データ格納領域３６には、ユーザによって指定された表示画面上の範囲（指定範囲）のデータが格納される。
また、部分ヒストグラムデータ格納領域３７には、指定範囲に該当するファインダー画像中の部分画像の輝度ヒストグラム（部分輝度ヒストグラム）のデータが格納される。
【００８５】
＜処理の流れ＞
図１５は、実施形態４における処理の流れを説明するフローチャートである。同図において、左側はデジタルカメラ１の処理を示し、右側はユーザの操作を示している。また、図１６は、実施形態４におけるモニタ６の表示画面の遷移例を示す図である。尚、この処理は、ＣＰＵ１０がＲＯＭ２０ｄの部分ヒストグラム表示プログラム２４を実行することで実現される処理である。
【００８６】
図１５によれば、先ず、デジタルカメラ１の電源が投入（ＯＮ）されると（ステップＡ１１）、ＣＰＵ１０は、設定モードを開始してデジタルカメラ１の動作環境等の初期設定を行い（ステップＡ１２）、次いで、シャッタースイッチ３が半押し状態となったことを検知すると（ステップＡ１３）、撮影待機状態に移行する（ステップＡ１４）。撮影待機状態では、図１６（ａ）に示すように、ファインダー画像ＦＰが表示される。
【００８７】
続いて、ユーザによりヒストグラム表示の設定がＯＮされたことを検知すると（ステップＤ１５）、ＣＰＵ１０は、ユーザにより続いてなされる表示画面中の範囲指定の操作を待機する（ステップＤ１６）。この状態において、ユーザは、同図（ｂ）に示すように、スタイラス８を用いて表示画面上を範囲指定する。同図では、画面右下部分の範囲ＡＲが指定されている。
【００８８】
ユーザによる表示画面上の範囲指定操作を検知すると（ステップＤ１７）、ＣＰＵ１０は、指定された範囲ＡＲに該当するファインダー画像中の部分画像を抽出し、この部分画像の輝度ヒストグラムデータを作成する（ステップＤ１８）。そして、作成した輝度ヒストグラムデータに基づく輝度ヒストグラムを表示させる（ステップＤ１９）。
【００８９】
図１６（ｃ）は、この時点での表示画面例である。同図によれば、表示画面には、ファインダー画像ＦＰとともに、画面左下部分に指定範囲ＡＲに該当する部分画像の輝度ヒストグラムＬＨ２が表示されている。
以上の処理を行うと、ＣＰＵ１０は、本処理を終了する。
【００９０】
＜作用・効果＞
以上のように、実施形態４では、ファインダー画像ＦＰを範囲指定すると、指定した範囲ＡＲの部分画像の輝度ヒストグラムＬＨ２が表示される。従って、ユーザは、ファインダー画像ＦＰ上の注目したい範囲部分の明るさを、輝度ヒストグラムＬＨ２で確認することができる。
【００９１】
［実施形態５］
次に、実施形態５を説明する。実施形態５では、ファインダー画像中の位置を指定すると、輝度ヒストグラム上に、指定した位置の輝度を示すポインタが表示される。尚、実施形態５において、上述した実施形態１〜４と同一要素については同符合を付し、詳細な説明を省略する。
【００９２】
＜ＲＯＭ及びＲＡＭの構成＞
図１７は、実施形態５におけるＲＯＭ２０ｅ及びＤＲＡＭ３０ｅの構成を示す図である。
同図（ａ）によれば、ＲＯＭ２０ｅには、実施形態５を実現するための指定位置輝度表示プログラム２５が記憶されている。
【００９３】
また、図１７（ｂ）によれば、ＤＲＡＭ３０ｅには、ファインダー画像格納領域３１と、ヒストグラムデータ格納領域３２と、指定位置データ格納領域３８と、が形成されている。
【００９４】
指定位置データ格納領域３８には、ユーザによって指定された表示画面上の位置（指定位置）のデータである指定位置データ３８ａが格納される。図１８に、指定位置データ３８ａの一例を示す。
図１８は、指定位置データ３８ａのデータ構成例を示す図である。同図によれば、指定位置データ３８ａは、ユーザによる指定位置（３８ａ−１）と、該位置（３８ａ−１）に該当するピクセルの輝度（３８ａ−２）と、を対応付けたデータである。
【００９５】
＜処理の流れ＞
図１９は、実施形態５における処理の流れを説明するフローチャートである。同図において、左側はデジタルカメラ１の処理を示し、右側はユーザの操作を示している。また、図２０は、実施形態５におけるモニタ６の表示画面の遷移例を示す図である。尚、この処理は、ＣＰＵ１０がＲＯＭ２０ｅの指定位置輝度表示プログラム２５を実行することで実現される。
【００９６】
図１９によれば、先ず、デジタルカメラ１の電源が投入（ＯＮ）されると（ステップＡ１１）、ＣＰＵ１０は、設定モードを開始してデジタルカメラ１の動作環境等の初期設定を行い（ステップＡ１２）、次いで、シャッタースイッチ３が半押し状態となったことを検知すると（ステップＡ１３）、撮影待機状態に移行する（ステップＡ１４）。
【００９７】
次いで、ユーザによりヒストグラム表示の設定がＯＮされたことを検知すると（ステップＥ１５）、ＣＰＵ１０は、ファインダー画像の輝度ヒストグラムデータを作成し（ステップＥ１６）、作成した輝度ヒストグラムデータに基づく輝度ヒストグラムを表示させる（ステップＥ１７）。
【００９８】
図２０（ａ）は、この時点での表示画面例である。同図によれば、モニタ６には、ファインダー画像ＦＰとともに、画面左下に該ファインダー画像ＦＰの輝度ヒストグラムＬＨ１が表示されている。そして、この表示画面において、ユーザは、同図（ｂ）に示すように、スタイラス８を用いて表示画面上の位置を指定する。
【００９９】
ユーザによる表示画面上の位置が指定されると（ステップＥ１８）、ＣＰＵ１０は、指定された位置（指定位置）の輝度を検出し、検出した輝度を輝度ヒストグラム上の横軸位置に換算する（ステップＥ１９）。そして、輝度ヒストグラム上の該当する位置にポインタを表示させる（ステップＥ２０）。
【０１００】
図２０（ｃ）は、この時点での表示画面例である。同図によれば、指定位置Ｐ１の輝度に対応する輝度ヒストグラムＬＨ１上の位置に、ポインタＰＴが表示されている。
以上の処理を行うと、ＣＰＵ１０は、本処理を終了する。
【０１０１】
＜作用・効果＞
以上のように、実施形態５では、ファインダー画像ＦＰ中の位置を指定すると、指定した位置Ｐ１の輝度に対応する輝度ヒストグラムＬＨ１上の位置にポインタＰＴが表示される。従って、ユーザは、フィンダー画像ＦＰ中の指定した位置の明るさを、輝度ヒストグラムＬＨ１上で確認することができる。
【０１０２】
［実施形態６］
次に、実施形態６を説明する。実施形態６では、実施形態５において、輝度ヒストグラムＬＨ１上のポインタＰＴの表示位置を移動させると、この移動に合わせて露出が補正（変更）される。尚、実施形態６において、上述した実施形態１〜５と同一要素については同符合を付し、詳細な説明を省略する。
【０１０３】
＜ＲＯＭ及びＲＡＭの構成＞
図２１は、実施形態６におけるＲＯＭ２０ｆ及びＤＲＡＭ３０ｆの構成を示す図である。
同図（ａ）によれば、ＲＯＭ２０ｆには、実施形態６を実現するための指定位置露出変更プログラム２６が記憶されている。
【０１０４】
また、図２１（ｂ）によれば、ＤＲＡＭ３０ｆには、設定露出データ格納領域３４と、ファインダー画像格納領域３１と、ヒストグラムデータ格納領域３２と、指定位置データ格納領域３８と、表示ポインタデータ格納領域３９と、が形成されている。
【０１０５】
設定露出データ格納領域３４には、現在設定されている露出値が格納される。露出値は、自動露出（ＡＥ）機能による設定値を「０」とし、例えば「−２〜２」まで「０．５」刻みの値で表現される。この露出値が「＋」の方向へ変化すると明るくなるように、一方、「−」の方向へ変化すると暗くなるように、ファインダー画像全体の明るさが調整される。
【０１０６】
表示ポインタデータ格納領域３９には、輝度ヒストグラムＬＨ１上に表示されているポインタＰＴに関するデータである表示ポインタデータ３９ａが格納される。図２２に、表示ポインタデータ３９ａのデータ構成の一例を示す。
図２２は、表示ポインタデータ３９ａのデータ構成例を示す図である。同図によれば、表示ポインタデータ３９ａは、現在のポインタＰＴの表示位置（３９ａ−１）と、表示位置（３９ａ−１）の輝度（３９ａ−２）と、を対応付けたデータである。
【０１０７】
＜処理の流れ＞
図２３は、実施形態６における処理の流れを説明するフローチャートである。同図において、左側はデジタルカメラ１の処理を示し、右側はユーザの操作を示している。また、図２４は、実施形態６におけるモニタ６の表示画面の遷移例を示す図である。尚、この処理は、ＣＰＵ１０がＲＯＭ２０ｆの指定位置露出変更プログラム２６を実行することで実現される。
【０１０８】
図２３によれば、先ず、実施形態５と同様に、ファインダー画像中の指定位置の輝度に対応する輝度ヒストグラム上の位置にポインタを表示させる（ステップＡ１１〜Ｅ２０）。
【０１０９】
図２４（ａ）は、この時点での表示画面の一例を示す図である。同図によれば、表示画面には、ファインダー画像ＦＰとともに、画面左下に輝度ヒストグラムＬＨ１が表示され、また、輝度ヒストグラムＬＨ１上には、ファインダー画像ＦＰ中の指定位置Ｐ１の輝度に対応する位置にポインタＰＴが表示されている。そして、この表示画面において、ユーザは、同図（ｂ）に示すように、スタイラス８を用いてポインタＰＴの表示位置を移動させる。尚、ポインタＰＴの表示位置は、輝度ヒストグラムＬＨ上を移動する。同図では、輝度が低くなる方向へポインタＰＴが移動されている。
【０１１０】
ユーザによりポインタＰＴの表示位置が移動されると（ステップＦ２１）、ＣＰＵ１０は、このポインタＰＴの移動先の位置を輝度ヒストグラムの横軸位置に換算して輝度を算出し（ステップＦ２２）、算出した輝度に合わせて露出調整を行う（ステップＦ２３）。具体的には、例えば輝度が大きくなる方向（図中、右方向）へ移動された場合には、ポインタＰＴの移動による輝度の変化分に応じた値だけ露出値を上げる（プラスする）ように変更し、一方、輝度が小さくなる方向（図中、左方向）へ移動された場合には、輝度の変化分に応じた値だけ露出値を下げる（マイナスする）ように変更する。そして、変更後の露出値に合わせてファインダー画像を変更する。尚このとき、指定位置Ｐ１の輝度が、ポインタＰＴの移動先の輝度にほぼ等しくなるように露出値を変更することが望ましい。
【０１１１】
図２４（ｃ）は、この時点での表示画面例である。同図では、ポインタＰＴが右方向（輝度が高くなる方向）へ移動されており、露出値が高くなるように補正され、ファインダー画像ＰＴが明るく変化している。
【０１１２】
その後、ユーザによりポインタＰＴの表示位置が再度移動された場合（ステップＦ２４；ＹＥＳ）、ＣＰＵ１０は、ステップＦ２１に移行して同様の処理を再度行い、一方、移動されなければ（ステップＦ２４：ＮＯ）、本処理を終了する。
【０１１３】
＜作用・効果＞
以上のように、実施形態６では、輝度ヒストグラムＬＨ１上のポインタＰＴの表示位置を移動させると、この移動に合わせて露出値が変更されてファインダー画像の露出補正が行われる。従って、ユーザは、輝度ヒストグラムＬＨ１上のポインタＰＴの表示位置を移動させることで、ファインダー画像の明るさを調整することができる。
【０１１４】
［実施形態７］
次に、実施形態７を説明する。実施形態７では、ファインダー画像を複数段階に分割した明るさ毎に、該明るさの部分が画像全体に占める割合に応じたマーカが表示される。尚、実施形態７において、上述した実施形態１〜６と同一要素については同符合を付し、詳細な説明を省略する。
【０１１５】
＜ＲＯＭ及びＲＡＭの構成＞
図２５は、実施形態７におけるＲＯＭ２０ｇ及びＤＲＡＭ３０ｇの構成を示す図である。
同図（ａ）によれば、ＲＯＭ２０ｇには、実施形態７を実現するための輝度レベルマーキングプログラム２７が記憶されている。
【０１１６】
また、図２５（ｂ）によれば、ＤＲＡＭ３０ｇには、ファインダー画像格納領域３１と、ヒストグラムデータ格納領域３２と、第１レベルデータ格納領域４１と、表示マーカデータ格納領域４２と、が形成されている。
【０１１７】
第１レベルデータ格納領域４１には、ファインダー画像の明るさを複数段階に分割したレベルのデータである第１レベルデータ４１ａが格納される。図２６に、第１レベルデータ４１ａのデータ構成の一例を示す。
図２６は、第１レベルデータ４１ａのデータ構成例である。同図によれば、第１レベルデータ４１ａは、明るさの段階を示すレベル（４１ａ−１）毎に、該レベル（４１ａ−１）の輝度範囲（４１ａ−２）と、輝度範囲（４１ａ−２）に含まれる輝度を有するピクセル数（４２ａ−３）と、を対応付けて記憶している。レベル（４１ａ−１）には、“明るい部分”を示すレベル「Ａ」と、“中間の明るさの部分”を示すレベル「Ｂ」と、“暗い部分”レベル「Ｃ」とが含まれている。
【０１１８】
表示マーカデータ格納領域４２には、表示画面に表示されているマーカに関するデータである表示マーカデータ４２ａが格納される。
図２７は、表示マーカデータ４２ａのデータ構成例を示す図である。同図によれば、表示マーカデータ４２ａは、レベル（４２ａ−１）毎に、該レベル（４２ａ−１）における中間輝度（４２ａ−２）と、中間輝度（４２ａ−２）を有するピクセルの位置（４２ａ−３）と、を対応付けて記憶している。
【０１１９】
＜処理の流れ＞
図２８は、実施形態７における処理の流れを説明するフローチャートである。同図において、左側はデジタルカメラ１の処理を示し、右側はユーザの操作を示している。また、図２９は、実施形態７におけるモニタ６の表示画面の遷移例を示す図である。尚、この処理は、ＣＰＵ１０がＲＯＭ２０ｇの輝度レベルマーキングプログラム２７を実行することで実現される。
【０１２０】
図２８によれば、先ずデジタルカメラ１の電源が投入（ＯＮ）されると（ステップＡ１１）、ＣＰＵ１０は、設定モードを開始してデジタルカメラ１の動作環境等の初期設定を行い（ステップＡ１２）、次いで、シャッタースイッチ３が半押し状態となったことを検知すると（ステップＡ１３）、撮影待機状態に移行する（ステップＡ１４）。撮影待機状態では、図２９（ａ）に示すように、モニタ６にファインダー画像ＦＰが表示される。
【０１２１】
次いで、ユーザにより露出マーキング表示の設定がＯＮされたことを検知すると（ステップＧ１５）、ＣＰＵ１０は、ファインダー画像の輝度ヒストグラムデータを作成する（ステップＧ１６）。そして、作成した輝度ヒストグラムデータから、ファインダー画像の輝度を複数段階のレベルに分割し、各レベル毎に輝度の範囲を算出する（ステップＧ１７）。
【０１２２】
また、ＣＰＵ１０は、各レベル毎に含まれる輝度を有するピクセル数を算出するとともに（ステップＧ１８）、各レベルの中間輝度を算出し（ステップＧ１９）、算出した中間輝度を有するピクセルの位置を算出する（ステップＧ２０）。その後、算出した各ピクセル位置に、対応するレベルに属するピクセル数に応じた大きさのマーカを表示させる（ステップＧ２１）。
【０１２３】
図２９（ｂ）は、この時点での表示画面例である。同図では、ファインダー画像ＦＰを３段階の明るさのレベルに分割した場合を示しており、ファインダー画像ＦＰ上に３つのマーカＭ３ａ〜Ｍ３ｃが表示されている。具体的には、図中右上のマーカは、レベル「Ａ」の中間輝度を有する画素の位置を中心としたマーカＭ３ａであり、図中右下のマーカは、レベル「Ｂ」の中間輝度を有する画素の位置を中心としたマーカＭ３ｂであり、図中左下のマーカは、レベル「Ｃ」の中間輝度を有する画素の位置を中心としたマーカＭ３ｃである。また、各マーカの大きさは、マーカＭ３ｃが最も大きく、次いで、マーカＭ３ａ、マーカＭ３ｂの順で小さくなっており、レベル「Ｃ」、即ちファインダー画像ＦＰ中、３分割した明るさのうち暗い部分が占める割合が最も大きいことを示している。
以上の処理を行うと、ＣＰＵ１０は、本処理を終了する。
【０１２４】
＜作用・効果＞
以上のように、実施形態７では、フィアンダー画像の明るさを３段階に分割したレベル毎に、該レベルに属する輝度を有する画素の数に応じた大きさのマーカＭ３ａ〜Ｍ３ｃが表示される。従って、ユーザは、マーカＭ３ａ〜Ｍ３ｃの大きさを見ることで、各レベルの明るさがファインダー画像ＦＰ全体に占める割合を知ることができる。
【０１２５】
［実施形態８］
次に、実施形態８を説明する。実施形態８では、ファインダー画像を複数段階に分割した明るさ毎に、該明るさの部分が画像全体に占める割合を示す数値が表示される。尚、実施形態８において、上述した実施形態１〜７と同一要素については同符合を付し、詳細な説明を省略する。
【０１２６】
＜ＲＯＭ及びＲＡＭの構成＞
図３０は、実施形態８におけるＲＯＭ２０ｈ及びＤＲＡＭ３０ｈの構成を示す図である。
同図（ａ）によれば、ＲＯＭ２０ｈには、実施形態８を実現するための画素割合表示プログラム２８が記憶されている。
【０１２７】
また、図３０（ｂ）によれば、ＤＲＡＭ３０ｈには、ファインダー画像格納領域３１と、ヒストグラムデータ格納領域３２と、第２レベルデータ格納領域４３と、表示マーカデータ格納領域４２と、が形成されている。
【０１２８】
第２レベルデータ格納領域４３には、ファインダー画像の明るさを複数段階に分割したレベルのデータである第２レベルデータ４３ａが格納される。図３１に、第２レベルデータ４３ａのデータ構成の一例を示す。
図３１は、第２レベルデータ４３ａのデータ構成例である。同図によれば、第２レベルデータ４３ａは、レベル（４３ａ−１）毎に、輝度範囲（４３ａ−２）と、輝度範囲（４３ａ−２）に含まれる輝度を有するピクセル数（４３ａ−３）と、ピクセル数（４３ａ−３）のファインダー画像全体の画素数に対する割合（４３ａ−４）と、を対応付けて記憶している。尚、同図では、割合（４３ａ−４）はパーセント（％）で表されている。
【０１２９】
＜処理の流れ＞
図３２は、実施形態８における処理の流れを説明するフローチャートである。同図において、左側はデジタルカメラ１の動作を示し、右側はユーザの操作を示している。また、図３３は、実施形態８におけるモニタ６の表示画面の遷移例を示す図である。尚、この処理は、ＣＰＵ１０がＲＯＭ２０ｈの画素割合表示プログラム２８を実行することで実現される。
【０１３０】
図３２によれば、先ずデジタルカメラ１の電源が投入（ＯＮ）されると（ステップＡ１１）、ＣＰＵ１０は、設定モードを開始してデジタルカメラ１の動作環境等の初期設定を行い（ステップＡ１２）、次いで、シャッタースイッチ３が半押し状態となったことを検知すると（ステップＡ１３）、撮影待機状態に移行する（ステップＡ１４）。撮影待機状態では、図３３（ａ）に示すように、モニタ６にファインダー画像ＦＰが表示される。
【０１３１】
次いで、ユーザにより露出マーキング表示の設定がＯＮされたことを検知すると（ステップＨ１５）、ＣＰＵ１０は、ファインダー画像の輝度ヒストグラムデータを作成する（ステップＨ１６）。そして、作成した輝度ヒストグラムデータから、ファインダー画像の明るさを複数段階のレベルに分割し、各レベル毎に輝度の範囲を算出する（ステップＨ１７）。
【０１３２】
続いて、各レベル毎に含まれる輝度を有するピクセル数を算出し（ステップＨ１８）、算出したピクセル数の、ファインダー画像の総ピクセル数に対する割合を算出する（ステップＨ１９）。また、ＣＰＵ１０は、各レベルの中間輝度を算出し（ステップＨ２０）、算出した中間輝度を有するピクセルの位置を算出する（ステップＨ２１）。その後、算出した各ピクセル位置に、対応するレベルに属するピクセル数に応じた大きさのマーカを表示させる（ステップＨ２２）。
【０１３３】
図３３（ｂ）は、この時点での表示画面例である。同図によれば、ファインダー画像ＦＰ上には、３つのマーカＭ４ａ〜Ｍ４ｃが表示されている。具体的には、図中右上のマーカは、レベル「Ａ」の中間輝度を有する画素の位置を中心としたマーカＭ４ａであり、該レベル「Ａ」の割合を示す数値「２９」とともに表示されている。また、図中右下のマーカは、レベル「Ｂ」の中間輝度を有する画素の位置を中心としたマーカＭ４ｂであり、該レベル「Ｂ」の割合を示す数値「１８」とともに表示されている。また、図中左下のマーカは、レベル「Ｃ」の中間輝度を有する画素の位置を中心としたマーカＭ４ｃであり、該レベル「Ｃ」の割合を示す数値「５３」とともに表示されている。
以上の処理を行うと、ＣＰＵ１０は、本処理を終了する。
【０１３４】
＜作用・効果＞
以上のように、実施形態８では、フィアンダー画像の明るさを３段階に分割したレベル毎に、該レベルの中間輝度を有する画素の位置にマーカＭ４ａ〜Ｍ４ｃが表示されるとともに、各レベルに属する輝度を有する画素の数がファインダー画像ＦＰ全体の画素数に対する割合を示す数値が表示される。従って、ユーザは、マーカＭ４ａ〜Ｍ４ｃとともに表示される数値を見ることで、各レベルの明るさがファインダー画像ＦＰ全体に占める割合を知ることができる。
【０１３５】
［変形例］
以上８つの実施形態について個々に説明したが、全ての実施形態を１台のデジタルカメラ１で実現するように構成しても良いことは勿論である。具体的には、各実施形態のＲＯＭ２０ａ〜２０ｈに記憶されたプログラム全てをＲＯＭ２０に記憶させ、ＤＲＡＭ３０ａ〜３０ｈに記憶されたデータ全てをＤＲＡＭ３０に記憶させる。そして、各プログラムを切り換えて実行する等により実現することができる。
【図面の簡単な説明】
【０１３６】
【図１】デジタルカメラの概観例。
【図２】デジタルカメラの内部構成を示すブロック図。
【図３】実施形態１におけるＲＯＭ及びＲＡＭの構成を示す図。
【図４】特別輝度データのデータ構成例。
【図５】実施形態１における処理の流れを示すフローチャート。
【図６】実施形態１における表示画面の遷移例。
【図７】実施形態２におけるＲＯＭ及びＲＡＭの構成を示す図。
【図８】実施形態２における処理の流れを示すフローチャート。
【図９】実施形態２における表示画面の遷移例。
【図１０】実施形態３におけるＲＯＭ及びＲＡＭの構成を示す図。
【図１１】指定輝度データのデータ構成例。
【図１２】実施形態３における処理の流れを示すフローチャート。
【図１３】実施形態３における表示画面の遷移例。
【図１４】実施形態４におけるＲＯＭ及びＲＡＭの構成を示す図。
【図１５】実施形態４における処理の流れを示すフローチャート。
【図１６】実施形態４における表示画面の遷移例。
【図１７】実施形態５におけるＲＯＭ及びＲＡＭの構成を示す図。
【図１８】指定位置データのデータ構成例。
【図１９】実施形態５における処理の流れを示すフローチャート。
【図２０】実施形態５における表示画面の遷移例。
【図２１】実施形態６におけるＲＯＭ及びＲＡＭの構成を示す図。
【図２２】表示ポインタデータのデータ構成例。
【図２３】実施形態６における処理の流れを示すフローチャート。
【図２４】実施形態６における表示画面の遷移例。
【図２５】実施形態７におけるＲＯＭ及びＲＡＭの構成を示す図。
【図２６】第１レベルデータのデータ構成例。
【図２７】表示マーカデータのデータ構成例。
【図２８】実施形態７における処理の流れを示すフローチャート。
【図２９】実施形態７における表示画面の遷移例。
【図３０】実施形態８におけるＲＯＭ及びＲＡＭの構成を示す図。
【図３１】第２レベルデータのデータ構成例。
【図３２】実施形態８における処理の流れを示すフローチャート。
【図３３】実施形態８における表示画面の遷移例。
【符号の説明】
【０１３７】
１  デジタルカメラ
１０  ＣＰＵ
２０（２０ａ〜２０ｈ）  ＲＯＭ
２１  特別輝度部分マーキングプログラム
２２  マーカ変更プログラム
２３  指定輝度部分マーキングプログラム
２４  部分ヒストグラム表示プログラム
２５  指定位置輝度表示プログラム
２６  指定位置露出変更プログラム
２７  輝度レベルマーキングプログラム
２８  画素割合表示プログラム
３０（３０ａ〜３０ｈ）  ＤＲＡＭ
３１  ファインダー画像格納領域
３２  ヒストグラムデータ格納領域
３３  特別輝度データ格納領域
３３ａ  特別輝度データ
３４  設定露出データ格納領域
３５  指定輝度データ格納領域
３５ａ  指定輝度データ
３６  指定範囲データ格納領域
３７  部分ヒストグラムデータ格納領域
３８  指定位置データ格納領域
３８ａ  指定位置データ
３９  表示ポインタデータ格納領域
３９ａ  表示ポインタデータ
４１  第１レベルデータ格納領域
４１ａ  第１レベルデータ
４２  表示マーカデータ格納領域
４２ａ  表示マーカデータ
４３  第２レベルデータ格納領域
４３ａ  第２レベルデータ
５０  フラッシュメモリ
６０  入力部
７０  ＣＣＤ
７２  ＣＣＤ制御回路７２
８０  液晶駆動回路
８２  表示バッファ（ＶＲＡＭ）
８４  ＬＣＤ
ＦＰ  ファインダー画像
Ｍ１〜Ｍ４  マーカ
ＬＨ１、ＬＨ２  輝度ヒストグラム
ＰＴ  ポインタ
【図１】
2005109740.tif 000003
【図２】
2005109740.tif 000004
【図３】
2005109740.tif 000005
【図４】
2005109740.tif 000006
【図５】
2005109740.tif 000007
【図６】
2005109740.tif 000008
【図７】
2005109740.tif 000009
【図８】
2005109740.tif 000010
【図９】
2005109740.tif 000011
【図１０】
2005109740.tif 000012
【図１１】
2005109740.tif 000013
【図１２】
2005109740.tif 000014
【図１３】
2005109740.tif 000015
【図１４】
2005109740.tif 000016
【図１５】
2005109740.tif 000017
【図１６】
2005109740.tif 000018
【図１７】
2005109740.tif 000019
【図１８】
2005109740.tif 000020
【図１９】
2005109740.tif 000021
【図２０】
2005109740.tif 000022
【図２１】
2005109740.tif 000023
【図２２】
2005109740.tif 000024
【図２３】
2005109740.tif 000025
【図２４】
2005109740.tif 000026
【図２５】
2005109740.tif 000027
【図２６】
2005109740.tif 000028
【図２７】
2005109740.tif 000029
【図２８】
2005109740.tif 000030
【図２９】
2005109740.tif 000031
【図３０】
2005109740.tif 000032
【図３１】
2005109740.tif 000033
【図３２】
2005109740.tif 000034
【図３３】
2005109740.tif 000035